(57)【要約】  いくつかの実施例は、無線通信のための無線コラボレーションのデバイス、システム、および/または、方法を含む。例えば、無線通信ユニットは、無線通信のために、少なくとも１つの他の無線通信デバイスの少なくとも１つの無線周波数（RF）モジュールを使用し得、無線通信ユニットは、無線通信ユニットと他の無線通信デバイスとの間の無線通信リンクを介して、RFモジュールを制御するように構成される。
2014529247.tif 000002
【特許請求の範囲】
【請求項１】
無線通信のために少なくとも１つの他の無線通信デバイスの少なくとも１つの無線周波数（RF）モジュールを使う無線通信ユニットを備える無線通信デバイスであって、前記無線通信ユニットは、前記無線通信ユニットと前記他の無線通信デバイスとの間の無線通信リンクを介して前記RFモジュールを制御するように構成された、無線通信デバイス。
【請求項２】
請求項１に記載の無線通信デバイスであって、内部ベースバンド（BB）モジュールを備え、前記無線通信ユニットは、前記無線通信リンクを介して前記内部BBモジュールと前記RFモジュールとの間を接続するように構成された、無線通信デバイス。
【請求項３】
請求項２に記載の無線通信デバイスであって、内部RFモジュールを備える、無線通信デバイス。
【請求項４】
請求項３に記載の無線通信デバイスであって、前記内部BBモジュールは、前記無線通信のために、前記他のデバイスの前記RFモジュールと前記内部RFモジュールの両方を同時に使用するように構成された、無線通信デバイス。
【請求項５】
請求項３に記載の無線通信デバイスであって、前記内部BBモジュールは、前記無線通信のために、前記他のデバイスの前記RFモジュールと前記内部RFモジュールとの間のいずれかを選択するように構成された、無線通信デバイス。
【請求項６】
請求項３に記載の無線通信デバイスであって、前記無線通信デバイスは、前記外部デバイスが、少なくとも１つの外部デバイスと、前記無線通信ユニットと前記外部デバイスとの間の無線通信リンクを介して前記内部RFモジュールを前記外部デバイスが制御することを許すことにより、前記内部RFモジュールを共有するように構成された、無線通信デバイス。
【請求項７】
請求項３に記載の無線通信デバイスであって、前記内部BBモジュールは、前記他のデバイスモジュールの前記RFモジュールによって送信されるべきデジタルBB信号を、前記無線通信ユニットに提供するように構成され、前記無線通信ユニットは、前記デジタルBB信号を、前記他の無線通信デバイスへ、前記無線通信ユニットと前記外部デバイスとの間の無線通信リンクを介して送信するように構成された、無線通信デバイス。
【請求項８】
請求項１に記載の無線通信デバイスであって、前記無線通信ユニットに関連付けられた１以上のアンテナを備える、無線通信デバイス。
【請求項９】
請求項１に記載の無線通信デバイスであって、前記無線通信リンクは、高スループット通信リンクを含む、無線通信デバイス。
【請求項１０】
請求項９に記載の無線通信デバイスであって、前記高スループット通信リンクは、60ギガヘルツ通信リンクを含む、無線通信デバイス。
【請求項１１】
無線通信デバイスであって、
内部無線周波数（RF）モジュールと、
無線通信ユニットであり、少なくとも１つの第１の他の無線通信デバイスと、少なくとも１つの第２の他の無線通信デバイスとの間の無線通信のために、前記無線通信ユニットと前記第１の他の無線通信デバイスとの間の無線通信リンクを介して前記第１の他の無線通信デバイスを前記内部RFモジュールに接続することにより、前記内部RFモジュールを共有する無線通信ユニットと、を備える無線通信デバイス。
【請求項１２】
請求項１１に記載の無線通信デバイスであって、前記無線通信ユニットは、前記無線通信リンク上でデジタルベースバンド（BB）信号を受信し、前記デジタルBB信号に基づいて送信を行うように前記内部RFモジュールを制御するように構成された、無線通信デバイス。
【請求項１３】
請求項１２に記載の無線通信デバイスであって、前記無線通信ユニットを前記内部RFモジュールに接続するデジタルRFインターフェイスを備える、無線通信デバイス。
【請求項１４】
請求項１１に記載の無線通信デバイスであって、前記内部RFモジュールに、前記RFモジュールによって送信されるべきデジタル信号を提供するように構成された内部ベースバンド（BB）モジュールを備える、無線通信デバイス。
【請求項１５】
請求項１１に記載の無線通信デバイスであって、前記無線通信ユニットは、無線通信のために、少なくとも１つの外部デバイスの少なくとも１つの外部RFモジュールを利用するように構成され、前記無線通信ユニットは、前記無線通信ユニットと前記外部デバイスとの間の無線通信リンクを介して、前記外部RFモジュールを制御するように構成された、無線通信デバイス。
【請求項１６】
請求項１５に記載の無線通信デバイスであって、
内部ベースバンド（BB）モジュールを備え、
前記無線通信ユニットは、前記無線通信ユニットと前記外部デバイスとの間の前記無線通信リンクを介して、前記内部BBモジュールと前記外部RFモジュールとの間を接続するように構成された、無線通信デバイス。
【請求項１７】
請求項１１に記載の無線通信デバイスであって、前記内部RFモジュールと前記無線通信ユニットとの少なくとも１つに関連付けられた１以上のアンテナを備える、無線通信デバイス。
【請求項１８】
請求項１１に記載の無線通信デバイスであって、前記無線通信リンクは高スループット通信リンクを含む、無線通信デバイス。
【請求項１９】
無線通信の方法であって、該方法は、
少なくとも１つの第２の無線通信デバイスの無線通信のために、少なくとも１つの第１の無線通信デバイスの少なくとも１つの無線周波数（RF）モジュールを、前記第１および第２の無線通信デバイスの間の無線通信リンクを介して前記RFモジュールを前記第２の無線通信デバイスにおいて制御することにより、共同して利用するステップを備える、方法。
【請求項２０】
請求項１９に記載の方法であって、前記制御することは、ベースバンド（BB）信号を、前記第２の無線通信デバイスから前記第１の無線通信デバイスへ前記無線通信リンクを介して送信することを含む、方法。
【請求項２１】
請求項１９に記載の方法であって、前記第２の無線通信デバイスの前記無線通信のために、前記第１の無線通信デバイスの前記RFモジュールと、前記第２の無線通信デバイスのRFモジュールとの両方を同時に使用することを備える、方法。
【請求項２２】
請求項１９に記載の方法であって、前記第２の無線通信デバイスの前記無線通信のために、前記第１の無線通信デバイスの前記RFモジュールと、前記第２の無線通信デバイスのRFモジュールとの間のどちらかを選択することを備える、方法。
【請求項２３】
請求項１９に記載の方法であって、前記無線通信リンクは、高スループット通信リンクを含む、方法。
【請求項２４】
無線通信システムであって、
無線周波数（RF）モジュールを含む第１の無線通信デバイスと、
第２の無線通信デバイスであり、前記第１の無線通信デバイスとの無線コラボレーションリンクを確立し、前記無線コラボレーションリンクを介して前記RFモジュールを制御することにより、無線通信のために前記第１の無線通信デバイスの前記RFモジュールを使用するように構成された第２の無線通信デバイスと、を備える無線通信システム。
【請求項２５】
請求項２４に記載のシステムであって、前記第２の無線通信デバイスは、前記RFモジュールを制御するためのベースバンド信号を、前記無線コラボレーションリンク上に送信するように構成された、システム。
【請求項２６】
請求項２４に記載のシステムであって、前記第２の無線デバイスは、内部RFモジュールを含む、システム。
【請求項２７】
請求項２６に記載のシステムであって、前記第２の無線通信デバイスは、前記第２の無線通信デバイスの前記無線通信のために、前記第１の無線通信デバイスの前記RFモジュールと、前記内部RFモジュールの両方を同時に使用するように構成された、システム。
【請求項２８】
請求項２６に記載のシステムであって、前記第２の無線通信デバイスは、前記第２の無線通信デバイスの前記無線通信のために、前記第１の無線通信デバイスの前記RFモジュールと、前記内部RFモジュールとの間のいずれかを選択するように構成された、システム。
【請求項２９】
請求項２４に記載のシステムであって、前記無線コラボレーションリンクは、高スループット通信リンクを含む、システム。
【発明の詳細な説明】
【技術分野】
【０００１】
本発明は、無線通信のための無線コラボレーションに関する。
【背景技術】
【０００２】
無線通信デバイスは、適切な無線通信媒体上で無線通信信号を送受信するための１以上のアンテナを含み得る。
【０００３】
無線通信デバイスはまた、アンテナを介して信号を送信するための少なくとも１つの送信経路、および／または、アンテナを介して信号を受信するための少なくとも１つの受信経路、を含む適切なアナログフロントエンドを含み得る。
【０００４】
無線通信デバイスはまた、送信のためにフロントエンドに提供されるアナログ無線通信信号を処理するための、および／または、フロントエンドから受信したアナログ信号を処理するための、シンセサイザ、アップコンバータ、ダウンコンバータ、フィルタ、等を例えば含む無線周波数（RF）モジュール（「無線機」とも称される）を含み得る。
【０００５】
無線通信デバイスはまた、RFモジュールによって送信されるベースバンド（BB）信号の、および／または、RFモジュールによって受信された信号の、デジタル信号処理を実行するためのBBモジュールを含み得る。
【図面の簡単な説明】
【０００６】
図を単純で明確なものにするために、図中に示された要素は、必ずしも実際の縮尺で描かれていない。例えば、要素のいくつかの外形寸法は、提示を明確にするために、他の要素と比較して誇張され得る。更に、対応する、または類似する要素を示すために、参照番号は、複数の図の中で繰り返され得る。図は、以下に列挙される。
【図１】実施例に従った、一システムの概略ブロック図
【図２】実施例に従った、無線通信のための無線コラボレーションの方法の概略図
【図３】実施例に従った、製造品の概略図
【図４】実施例に従った、第１の無線コラボレーション方式の概略図
【図５】実施例に従った、第２の無線コラボレーション方式の概略図
【発明を実施するための形態】
【０００７】
以下の詳細な説明において、実施例の完全な理解を提供するために、多くの具体的な詳細が説明される。しかし、いくつかの実施例は、これらの具体的な詳細無しで実行され得るということは、当業者によって理解されるであろう。他の例では、議論を曖昧にしないように、周知の方法、手順、構成要素、ユニット、および／または、回路は詳細に説明されない。
【０００８】
明細書中、例えば、「処理する」、「計算する（computing）」、「計算する（calculating）」、「決定する」、「確立する」、「解析する」、「確認する」、等の用語を用いた議論は、コンピュータ、コンピュータプラットフォーム、または、他の電子計算デバイスの動作、および／または、処理を参照し得る。これらのコンピュータ、コンピュータプラットフォーム、または、他の電子計算デバイスは、コンピュータのレジスタ、および／または、メモリの中の物理的（例、電気的）量として表現されたデータを、他のデータへ、操作、および／または、変換する。他のデータは、動作、および／または、処理を実行するための命令を格納し得る、コンピュータのレジスタ、および／または、メモリ、または、他の情報記録媒体の中の物理的量として同様に表現される。
【０００９】
明細書内で用いられる「複数（plurality）」および「複数（a  plurality）」の用語は、例えば、「複数の（multiple）」または「２以上の（two  or  more）」を含む。例えば、「複数の項目」は、２以上の項目を含む。
【００１０】
いくつかの実施例は、様々なデバイスやシステムと連携して利用され得る。様々なデバイスやシステムとは、例えば、パーソナルコンピュータ（PC）、デスクトップコンピュータ、携帯コンピュータ、ラップトップコンピュータ、ノートブックコンピュータ、タブレットコンピュータ、サーバコンピュータ、ハンドヘルドコンピュータ、ハンドヘルドデバイス、パーソナルデジタルアシスタント（PDA）デバイス、ハンドヘルドPDAデバイス、オンボードデバイス、オフボードデバイス、ハイブリッドデバイス。車載デバイス、非車載デバイス、携帯又はポータブルデバイス、コンシューマデバイス、非携帯または非ポータブルデバイス、無線通信局、無線通信デバイス、無線アクセスポイント（AP）、有線又は無線ルータ、有線又は無線モデム、ビデオデバイス、オーディオデバイス、オーディオ・ビデオ（A/V）デバイス、有線又は無線ネットワーク、無線エリアネットワーク、無線ビデオエリアネットワーク（WVAN）、ローカルエリアネットワーク（LAN）、無線LAN（WLAN）、パーソナルエリアネットワーク（PAN）、無線PAN（WPAN）、既存の無線ギガビットアライアンス（WGA）仕様書（ワイヤレスギガビットアライアンス、MACおよびPHY仕様書1.0版、2010年4月、最終仕様書）、および／または、その将来のバージョン、および／または、派生に従って動作する、デバイス、および／または、ネットワーク、既存のIEEE  802.11規格（IEEE  802.11-2007,  情報技術のためのIEEE規格−システム間の通信および情報交換−ローカルおよびメトロポリタンエリアネットワーク−具体的な要求仕様、パート11：無線LANメディアアクセス制御（MAC）および物理層（PHY）仕様書（IEEE  802.11-2007,  IEEE  Standard  for  Information  Technology-Telecommunications  and  information  exchange  between  systems-Local  and  metropolitan  area  networks-Specific  requirements,  Part  11:  Wireless  LAN  Medium  Access  Control  (MAC)  and  Physical  Layer  (PHY)  Specifications）；  IEEE  802.11n-2009,  情報技術のためのIEEE規格−システム間の通信および情報交換−ローカルおよびメトロポリタンエリアネットワーク−具体的な要求仕様、パート11：無線LANメディアアクセス制御（MAC）および物理層（PHY）仕様書、改正５：より高いスループットのための拡張（IEEE  802.11n-2009,  IEEE  standard  for  Information  Technology-Telecommunications  and  information  exchange  between    systems-Local  and  metropolitan  area  networks-Specific  requirements,  Part  11:  Wireless  LAN  Medium  Access  Control  (MAC)  and  Physical  Layer  (PHY)  specifications,  Amendment  5:  Enhancements  for  Higher  Throughput）；  IEEE802.11タスクグループac（TGac）（”IEEE802.11-09/0308r12−TGacチャネルモデル補遺資料”）（IEEE802.11  task  group  ac  (TGac)  ("IEEE802.11-09/0308r12  -  TGac  Channel  Model  Addendum  Document")）、IEEE802.11タスクグループad（TGad）（IEEE  P802.11ad/D1.情報技術のためのドラフト規格−システム間通信および情報交換−ローカルおよびメトロポリタンエリアネットワーク−具体的な要求仕様−パート11：無線LANメディアアクセス制御（MAC）および物理層（PHY）仕様書、改正５：  60GHz帯における非常に高いスループットのための拡張）（IEEE  802.11  task  group  ad  (TGad)  (IEEE  P802.11ad/D1.0  Draft  Standard  for  Information  Technology  -  Telecommunications  and  Information  Exchange  Between  Systems  -  Local  and  Metropolitan  area  Networks  -  Specific  Requirements  -  Part  11:  Wireless  LAN  Medium  Access  Control  (MAC)  and  Physical  Layer  (PHY)  Specifications  -  Amendment:  Enhancements  for  for  Very  High  Throughput  in  the  60GHz  Band）、および／または、これらの将来のバージョン、および／または、派生に従って動作する、デバイス、および／または、ネットワーク、既存のIEEE802.16規格（IEEE-Std  802.16,  2009年版、固定広帯域ワイヤレスアクセスシステムのための無線インターフェイス（IEEE-Std  802.16,  2009  Edition,  Air  Interface  for  Fixed  Broadband  Wireless  Access  Systems）；IEEE-Std  802.16e,  2005年版、ライセンス帯における固定及び移動を組合せた運用のための物理及び媒体アクセス制御層（IEEE-Std802.16e,  2005  Edition,  Physical  and  Medium  Access  Control  Layers  for  Combined  Fixed  and  Mobile  Operation  in  Licensed  Bands）；タスクグループmによって開発された、IEEE-Std  802.16,  2009年版の改定版（amendment  to  IEEE  Std  802.16-2009,  developed  by  Task  Group  m））、および／または、これらの将来版、および／または、派生に従って動作するデバイス、および／または、ネットワーク、既存の無線−無線HD（Wireless-WirelessHDTM）仕様書、および／または、その将来版、および／または、派生に従って動作するデバイス、および／または、ネットワーク、上記ネットワークの部分であるユニット、および／または、デバイス、片方向、および／または、双方向無線通信システム、セルラ無線電話通信システム、セルラ電話、無線電話、パーソナルコミュニケーションシステム（PCS）デバイス、無線通信デバイスを取り込むPDAデバイス、移動または携帯グローバルポジショニングシステム（GPS）デバイス、GPS受信機または送受信機またはチップを組み込むデバイス、RFIDエレメントまたはチップを組み込むデバイス、多入力多出力（MIMO）送受信機またはデバイス、単入力多出力（SIMO）送受信機またはデバイス、多入力単出力（MISO）送受信機またはデバイス、１以上の内部アンテナ、および／または、外部アンテナを持つデバイス、デジタルビデオ放送（DVB）デバイスまたはシステム、マルチ規格無線デバイスまたはシステム、有線または無線ハンドヘルドデバイス（例、ブラックベリー（BlackBerry）、パームトレオ））、無線応用プロトコル（WAP）デバイス、等々である。
【００１１】
いくつかの実施例は、無線通信信号、および／または、システムの１以上の種類と連携して用いられ得る。無線通信信号、および／または、システムは、例えば、無線周波数（RF）、赤外線（IR）、周波数分割多重化（FDM）、直交FDM（OFDM）、時分割多重化（TDM）、時分割多元接続（TDMA）、拡張TDMA（E-TDMA）、一般パケット無線サービス（GPRS）、拡張GPRS、符号分割多元接続（CDMA）、広帯域CDMA（WCDMA（登録商標））、CDMA  2000、シングルキャリアCDMA、マルチキャリアCDMA、マルチキャリア変調（MDM）、離散マルチトーン（DMT）、ブルートゥース（登録商標）、グローバル位置システム（GPS）、Wi-Fi、Wi-Max、ZigBee（登録商標）、ウルトラワイドバンド（UWB）、移動通信のためのグローバルシステム（GSM（登録商標））、2G、2.5G、3G、3.5G、GSMエボリューションのための拡張データレート（EDGE）、等である。他の実施例は、様々な他のデバイス、システム、および／または、ネットワークにおいて利用され得る。
【００１２】
本明細書において使用される「無線デバイス」という用語は、例えば、無線通信が可能なデバイス、無線通信が可能な通信デバイス、無線通信が可能な通信局、無線通信が可能なポータブルまたは非ポータブルデバイス、等を含む。いくつかの実施例において、無線デバイスは、コンピュータに統合された周辺機器、または、コンピュータに付属する周辺機器であり得る、または、含み得る。いくつかの実施例において、「無線デバイス」という用語は、オプションとして、無線サービスを含み得る。
【００１３】
いくつかの実施例は、無線エリアネットワーク、「ピコネット（piconet）」、WPAN、WVAN、等の、適切な制限された範囲の、または、狭い範囲の無線通信ネットワークと連携して利用され得る。他の実施例は、いかなる他の適切な無線通信ネットワークと連携して利用され得る。
【００１４】
いくつかの実施例は、60GHz帯の周波数帯域を介して通信する無線通信ネットワークと連携して利用される。しかし、他の実施例は、例えば、極めて高い周波数（EHF）帯（ミリ波（mmwave）周波数帯）、30GHZと300GHZとの間の周波数帯内の周波数帯、WLAN周波数帯、WPAN周波数帯、WGA仕様書に従った周波数帯、等のいかなる他の適切な無線通信周波数帯を利用して実装され得る。
【００１５】
本明細書で使用される「アンテナ」という用語は、１以上のアンテナエレメント、コンポーネント、ユニット、アセンブリー、および／または、アレイの、いかなる適切な構成、構造、および／または、配置を含み得る。
【００１６】
いくつかの実施例において、アンテナは、別々の送信および受信アンテナエレメントを使って、送信および受信機能を実装し得る。いくつかの実施例において、アンテナは、共通の、および／または、統合された、送受信エレメントを使って、送信および受信機能を実装し得る。アンテナは、疑似オムニ（全方向性）アンテナパターンによってカバーされるアンテナを含み得る。例えば、アンテナは、位相アレイアンテナ、シングルエレメントアンテナ、切換えビームアンテナの組、等の中の少なくとも１つであり得る。
【００１７】
本明細書で使用される「疑似オムニアンテナパターン」というフレーズは、特定のアンテナにとって達成し得る最も幅広い実際のビーム幅を伴う動作モードを含み得る。
【００１８】
いくつかの実施例は、例えば以下で詳細に説明されるように、１以上の無線通信デバイス間で１以上の無線周波数（RF）モジュールがコラボレーションするためのシステム、デバイス、および／または、方法を含む。
【００１９】
いくつかの実施例において、RFモジュールは、適切なワイヤレスフィデリティ（Wireless-Fidelity）（WiFi）プロトコルに従った無線通信を実行するように構成されたRFモジュールを含み得る。WiFiプロトコルは、例えば、IEEE  802.11-2007  情報技術のためのIEEE規格−システム間の通信および情報交換−ローカルおよびメトロポリタンエリアネットワーク−具体的な要求仕様、パート11：無線LAN媒体アクセス制御（MAC）および物理層（PHY）仕様書、および／または、その将来のバージョン、および／または、派生、等のIEEE  802.11仕様書に従った通信プロトコルを含み得る。他の実施例において、RFモジュールは、いかなる他の適切な無線通信プロトコルに従って構成され得る。
【００２０】
いくつかの実施例において、第１および第２の無線通信デバイスの少なくとも１つのデバイスは、第１および第２の無線通信デバイスの他のデバイスの１以上の内部RFモジュールを、例えば、少なくとも第３の無線通信デバイスとの通信のために、共有し得る。例えば、以下で詳しく説明されるように、第１の無線通信デバイスは、第２の無線通信デバイスの内部RFモジュールを使用し得、そして／または、第２の無線通信デバイスは、第１の無線通信デバイスの内部RFモジュールを使用し得る。
【００２１】
いくつかの実施例において、例えば、以下で詳しく説明されるように、コラボレーション通信リンクが、第１及び第２の無線通信デバイス間に確立され得、第１の無線通信デバイスが、第２の無線通信デバイスの内部RFモジュールを制御できるようになる、または、第２の無線通信デバイスが、第１の無線通信デバイスの内部RFモジュールを制御できるようになる。
【００２２】
いくつかの実施例において、コラボレーション通信リンクは、例えば、60ギガヘルツ通信リンク等の、高スループット、および／または、低遅延、通信リンクを含み得る。例えば、コラボレーション通信リンクは、高スループット通信プロトコルに従った通信リンクを含み得る。高スループット通信プロトコルは、IEEE  802.11TGad仕様書、および／または、WGA仕様書（無線ギガビットアライアンスWiGig  MacおよびPHY仕様書第1.0版、2010年4月）、および／または、これらの将来の版、および／または、派生に従った通信プロトコルを含み得る。他の実施例において、コラボレーション通信リンクは、いかなる他の適切な通信リンクを含み得る。
【００２３】
いくつかの実施例に従ったシステム100のブロック図を概略図的に示す図１を参照する。
【００２４】
図１に示されるように、いくつかの実施例において、システム100は、例えば、無線チャネル、赤外線チャネル、RFチャネル、WiFiチャネル、等の１以上の適切な無線通信リンク上で、コンテンツ、データ、情報、および／または、信号を通信することのできる、無線通信デバイス102、104、および／または、106等の１以上の無線通信デバイスを含む無線通信ネットワークを含み得る。
【００２５】
いくつかの実施例において、無線通信デバイス102、104、および／または、106は、例えば、PC、デスクトップコンピュータ、携帯コンピュータ、ラップトップコンピュータ、ノートブックコンピュータ、タブレットコンピュータ、サーバコンピュータ、ハンドヘルドコンピュータ、ハンドヘルドデバイス、PDAデバイス、ハンドヘルドPDAデバイス、オンボードデバイス、オフボードデバイス、ハイブリッドデバイス（例、セルラ電話の機能とPDAデバイスの機能とを組み合わせた）、コンシューマデバイス、車載デバイス、非車載デバイス、携帯またはポータブルデバイス、非携帯または非ポータブルデバイス、セルラ電話、PCSデバイス、無線通信デバイスを組み込んだPDAデバイス、携帯またはポータブルGPSデバイス、DVBデバイス、比較的小さいコンピューティングデバイス、非デスクトップコンピュータ、「小さく運んで大きく生活」（CSLL）デバイス、ウルトラ携帯デバイス（UMD）、ウルトラ携帯PC（UMPC）、携帯インターネットデバイス（MID）、「折り紙」デバイスまたはコンピューティングデバイス、動的に構成可能なコンピューティング（DCC）、文脈知覚（context-aware）デバイス、ビデオデバイス、オーディオデバイス、A/Vデバイス、セットトップボックス（STB）、ブルーレイディスク（BD）プレーヤ、BDレコーダ、デジタルビデオディスク（DVD）プレーヤ、高精細度（HD）DVDプレーヤ、DVDレコーダ、HD  DVDレコーダ、パーソナルビデオレコーダ（PVR）、放送HD受信機、ビデオソース、オーディオソース、ビデオシンク、オーディオシンク、ステレオチューナ、放送ラジオ受信機、フラットパネルディスプレイ、パーソナルメディアプレーヤ（PMP）、デジタルビデオカメラ（DVC）、デジタルオーディオプレーヤ、スピーカ、オーディオ受信機、オーディオ増幅器、ゲームデバイス、データソース、データシンク、デジタルスチルカメラ（DSC）、メディアプレーヤ、スマートフォン、テレビ、音楽プレーヤ、等を含み得る。
【００２６】
いくつかの実施例において、無線通信デバイス102、104、および／または、106は、１以上の無線通信リンク上で無線通信を行うためのいかなる適切なコンポーネントを含み得る。
【００２７】
例えば、無線通信デバイス102は、１以上のアンテナ132を含み得る、または、関連付けられ得る。無線通信デバイス104は、１以上のアンテナ148を含み得る、または、関連付けられ得る。そして/または、無線通信デバイス106は、１以上のアンテナ168を含み得る、または、関連付けられ得る。アンテナ132、148、および／または、168は、無線通信の信号、ブロック、フレーム、伝送ストリーム、パケット、メッセージ、および／または、データを、送信、および／または、受信するために適するアンテナの、いかなる種類を含み得る。例えば、アンテナ132、148、および／または、168は、１以上のアンテナのエレメント、コンポーネント、ユニット、アセンブリー、および／または、アレイの、いかなる適切な構成、構造、および／または、配置を含み得る。アンテナ132、148、および／または、168は、疑似オムニアンテナパターンでカバーされたアンテナを含み得る。例えば、アンテナ132、148、および／または、168は、位相アレイアンテナ、単エレメントアンテナ、切換えビームアンテナの組、等の少なくとも１つを含み得る。いくつかの実施例において、アンテナ132、148、および／または、168は、別々の送信および受信アンテナエレメントを使用して送信および受信機能を実装し得る。いくつかの実施例において、アンテナ132、148、および／または、168は、共通の、および／または、統合された、送受信エレメントを使って、送信および受信機能を実装し得る。
【００２８】
いくつかの実施例において、無線通信デバイス102、104、および／または、106は、アナログフロントエンド（FE）を含み得る。例えば、無線通信デバイス102は、FE  120を含み得、無線通信デバイス104は、FE  146を含み得、および／または、無線通信デバイス106は、FE  160を含み得る。フロントエンド120、146、および／または、160は、例えば、１以上の適切なパワー増幅器、および／または、フィルタ、等のいかなる適切なFEエレメントを含み得、少なくとも１つの適切な送信経路、および／または、少なくとも１つの適切な受信経路を形成する。
【００２９】
いくつかの実施例において、無線通信デバイス102、104、および／または、106は、内部無線周波数（RF）モジュール（「無線機」とも参照される）を含み得る。例えば、無線通信デバイス102は、RFモジュール118を含み得、無線通信デバイス104は、RFモジュール144を含み得、および／または、無線通信デバイス106は、RFモジュール162を含み得る。RFモジュール118、144、および／または、162は、例えば、いかなる適切なシンセサイザ、アップコンバータ、ダウンコンバータ、フィルタ、等のいかなる適切なRF送信、および／または、受信エレメントを含み得、アナログ無線通信信号を送信するために処理し、そして／または、受信したアナログ無線通信信号を処理する。
【００３０】
いくつかの実施例において、RFモジュール118、144、および／または、162は、例えばIEEE  802.11仕様書等の適切なWiFiプロトコルに従った無線通信を実行するように構成され得る。他の実施例において、RFモジュール118、144、および／または、162は、いかなる他の適切な無線通信プロトコルと関連付けられて構成され得る。
【００３１】
いくつかの実施例において、無線通信デバイス102、104、および／または、106は、適切なベースバンド（BB）モジュールを含み得る。例えば、無線通信デバイス102は、BBモジュール110を含み得、無線通信デバイス104は、BBモジュール142を含み得、および／または、無線通信デバイス106は、BBモジュール164を含み得る。BBモジュール110、142、および／または、164は、RFモジュール118、144、および／または、162によって送信されるべきBB信号の、および／または、RFモジュール118、144、および／または、162によって受信された信号の、デジタル信号処理を実行する、いかなる適切なBBエレメントを含み得る。
【００３２】
いくつかの実施例において、以下に詳しく説明されるように、システム100の１以上の無線通信デバイスは、１以上のRFモジュールを共有する、および／または、コラボレート（collaborate）する。
【００３３】
いくつかの実施例において、無線通信デバイス102および104は、例えば、無線通信デバイス106と、および／または、１以上の他の無線通信デバイスと、通信するために、
RFモジュール118、および／または、144を共有し得る。例えば、以下に詳しく説明されるように、無線通信デバイス102は、無線通信デバイス104の内部RFモジュール144を使用し得、そして／または、無線通信デバイス104は、無線通信デバイス102の内部RFモジュール118を使用し得る。
【００３４】
いくつかの実施例において、例えば、以下に詳細に説明されるように、無線通信デバイス102および104は、コラボレーション通信リンク134を確立し得、無線通信デバイス102による無線通信デバイス104のRFモジュール144の制御を可能にし、そして／または、無線通信デバイス104による無線通信デバイス102のRFモジュール118の制御を可能にする。
【００３５】
いくつかの実施例において、コラボレーション通信リンク134は、例えば、60ギガヘルツ通信リンク等の、高スループット通信リンクを含み得る。例えば、コラボレーション通信リンク134は、高スループットプロトコルに、および／または、その将来のバージョン、および／または、派生に従った通信リンクを含み得る。他の実施例において、コラボレーション通信リンク134は、いかなる他の適切な通信リンクを含み得る。
【００３６】
いくつかの実施例において、例えば以下に説明されるように、無線通信デバイス102、および／または、104は、それぞれ、無線通信ユニット112、および/または、140を含み得、リンク134上で無線通信を実行する。
【００３７】
いくつかの実施例において、無線通信モジュール112は、１以上のアンテナ114を含み得、または、関連付られ得、そして／または、無線通信モジュール140は、１以上のアンテナ150を含み得、または、関連付られ得る。アンテナ114、および／または、150は、無線通信の、信号、ブロック、フレーム、伝送ストリーム、パケット、メッセージ、および／または、データを、送信、および／または、受信するために適するアンテナのいかなる種類を含み得る。例えば、アンテナ114、および／または、150は、１以上のアンテナのエレメント、コンポーネント、ユニット、アセンブリー、および／または、アレイの、いかなる適切な構成、構造、および／または、配置を含み得る。一例において、アンテナ114、および／または、150は、疑似オムニアンテナパターンでカバーされたアンテナを含み得る。例えば、アンテナ114、および／または、150は、位相アレイアンテナ、単エレメントアンテナ、切換えビームアンテナの組、等の少なくとも１つを含み得る。いくつかの実施例において、アンテナ114、および／または、150は、別々の送信および受信アンテナエレメントを使用して送信および受信機能を実装し得る。いくつかの実施例において、アンテナ114、および／または、150は、共通の、および／または、統合された、送受信エレメントを使って、送信および受信機能を実装し得る。
【００３８】
いくつかの実施例において、無線通信モジュール112、および／または、140は、例えば、無線通信の、信号、フレーム、ブロック、伝送ストリーム、パケット、メッセージ、データ項目、および／または、データを送信、および／または、受信できる１以上の無線送信機、受信機、および／または、送受信機を含む。例えば、無線通信モジュール112、および／または、140は、無線ネットワークインターフェイスカード（NIC）、等を含み得る、または、NICの一部として実装され得る。
【００３９】
いくつかの実施例において、無線通信デバイス102は、無線通信ユニット112とRFモジュール118との間を接続するデジタルRFインターフェイス119を含み得る。デジタルRFインターフェイス119は、無線通信ユニット112とRFモジュール118との間で、例えばデジタルBB信号等のデジタル信号を転送させ得る。
【００４０】
いくつかの実施例において、無線通信デバイス104は、無線通信ユニット140とRFモジュール144との間を接続するデジタルRFインターフェイス145を含み得る。デジタルRFインターフェイス145は、無線通信ユニット140とRFモジュール144との間で、例えばデジタルBB信号等のデジタル信号を転送させ得る。
【００４１】
デジタルRFインターフェイス119、および／または、145は、例えば、仕様書DigRF  3G,  2006、および／または、DigRF  v4,  April  2010、および／または、その将来のバージョン、および／または、その派生、等のDigRF仕様書に従ったインターフェイスを、含み得る。
【００４２】
無線通信デバイス102、104、および／または、106はまた、例えば、１以上のプロセッサ122、入力ユニット124、出力ユニット126、メモリユニット130、および、記憶ユニット128、を含み得る。無線通信デバイス102、104、および／または、106は、オプションとして、他の適切なハードウェアコンポーネント、および／または、ソフトウェアコンポーネントを含み得る。いくつかの実施例において、１以上の無線通信デバイス102、104、および／または、106の、いくつかの、または、すべてのコンポーネントは、共通のハウジング、または、筐体の中に封入され得、そして、１以上の有線、または、無線リンクを使用して、相互接続され、または、関連付けられて動作し得る。他の実施例において、１以上の、無線通信デバイス102、104、および／または、106のコンポーネントは、複数の、または、別々の、デバイスの間に分散し得る。
【００４３】
プロセッサ122は、例えば、中央処理装置（CPU）、デジタルシグナルプロセッサ（DSP）、１以上のプロセッサコア、シングルコアプロセッサ、デュアルコアプロセッサ、マルチプルコアプロセッサ、マイクロプロセッサ、ホストプロセッサ、コントローラ、複数のプロセッサ、または、コントローラ、チップ、マイクロチップ、１以上の回路（circuits）、電気回路（circuitry）、ロジックユニット、集積回路（IC）、特定用途向けIC（ASIC）、または、いかなる他の適切な多目的、または、特定のプロセッサまたはコントローラを含み得る。プロセッサ122は、例えば、無線通信デバイス102のオペレーティングシステム（OS）の、および/または、１以上の適切なアプリケーションの、命令を実行する。
【００４４】
入力ユニット124は、例えば、キーボード、キーパッド、マウス、タッチパッド、トラックボール、スタイラス（stylus）、マイクロフォン、または、他の適切なポインティングデバイス、または、入力デバイスを含む。出力ユニット126は、例えば、モニター、スクリーン、フラットパネルディスプレイ、陰極線管（CRT）ディスプレイユニット、液晶ディスプレイ（LCD）ディスプレイユニット、プラズマディスプレイユニット、１以上のオーディオスピーカまたはイヤホン、または、他の適切な出力デバイス、を含む。
【００４５】
メモリユニット130は、例えば、ランダムアクセスメモリ（RAM）、リードオンリーメモリ（ROM）、ダイナミックRAM（DRAM）、同期式DRAM（SD-RAM）、フラッシュメモリ、揮発性メモリ、不揮発性メモリ、キャッシュメモリ、バッファ、ショートタームメモリユニット、ロングタームメモリユニット、または、他の適切なメモリユニット、を含む。記憶ユニット128は、例えば、ハードディスクドライブ、フロッピー（登録商標）ディスクドライブ、コンパクトディスク（CD）ドライブ、CD-ROMドライブ、DVDドライブ、または、他の適切なリムーバブルまたは非リムーバブル記憶ユニット、を含む。メモリユニット130、および／または、記憶ユニット128は、例えば、無線通信デバイス102によって処理されたデータを格納し得る。
【００４６】
いくつかの実施例において、無線通信デバイス102は、無線通信デバイス102の無線通信のために、無線通信デバイス104のRFモジュール144を、共同で（collaboratively）使用し得る。そして／または、無線通信デバイス104は、無線通信デバイス104の無線通信のために、無線通信デバイス102のRFモジュール118を、共同で使用し得る。例えば、以下に詳しく説明されるように、無線通信ユニット112と140との間のコラボレーションリンク134を介して、無線通信デバイス102はRFモジュール144を制御し得、そして／または、無線通信デバイス104は、RFモジュール118を制御し得る。
【００４７】
いくつかの実施例において、無線通信ユニット112は、例えば、RFモジュール144と160との間の無線通信リンク172を使って、無線通信デバイス102と106との間の通信のために、無線通信デバイス104のRFモジュール144を使用し得る。そして／または、無線通信ユニット140は、例えば、RFモジュール118と160との間の無線通信リンク170を使って、無線通信デバイス104と106との間の通信のために、無線通信デバイス102のRFモジュール118を使用し得る。
【００４８】
いくつかの実施例において、例えば、無線通信デバイス120および104等の１以上の無線通信デバイスによる、RFモジュール118および/またはRFモジュール144等のRFモジュールのコラボレーションの利用は、デバイス102、104および/または106等のシステム100の１以上の無線通信デバイスの、スループット、帯域幅利用、無線通信範囲、接続信頼性、バッテリ利用、電力消費、等の面においてパフォーマンスを改善し得る。
【００４９】
一例において、無線通信デバイス102の通信範囲は、無線通信デバイス104の通信範囲よりも狭いかもしれない。例えば、RFモジュール118のWiFi通信範囲は、RFモジュール144のWiFi通信範囲よりも狭いかもしれない。例えば、無線通信デバイス102はスマートフォンを含み得る。そして／または、無線通信デバイス104はノートブックコンピュータを含み得る。無線通信デバイス106は、例えば、RFモジュール118のWiFi通信範囲の外にあり得、そして／または、無線通信デバイス104により近く位置し得る。
【００５０】
他の実施例において、無線通信デバイス102は、無線通信デバイス104のバッテリレベルに比べて、より少ないバッテリレベルを有しているかもしれない。例えば、無線通信デバイス102は、比較的低いバッテリレベルで動作しているかもしれない。一方で無線通信デバイス104は、実質的にフルバッテリレベルで動作しているかもしれない。この例によると、無線通信デバイス102は、例えば、無線通信デバイス106と通信するために、無線通信デバイス102の内部RFモジュール118を利用する代わりに、無線通信デバイス104のRFモジュール144を利用し得る。一方で、無線通信デバイス102によって消費される電力を低減する。
【００５１】
他の例において、無線通信リンク170の信頼性および/または通信品質は、無線通信リンク172の信頼性および/または通信品質よりも低いかもしれない。この例によると、無線通信デバイス102は、無線通信デバイス106と通信するために、例えば、無線通信デバイス102の内部RFモジュール118を利用する代わりに、無線通信デバイス104のRFモジュール144を利用し得る。一方で、無線通信リンク172の、より高い信頼性および/または通信品質を利用する。
【００５２】
いくつかの実施例において、無線通信ユニット112および140は、例えば、無線通信デバイス106との無線通信を実行するためにBBモジュール110がRFモジュール144を利用できるように、BBモジュール110とRFモジュール144との間をコラボレーションリンク134を介して接続し得る。例えば、BBモジュール110は、コラボレーションリンク134を介してRFモジュール144を制御し得る。
【００５３】
いくつかの実施例において、無線通信ユニット112および140は、例えば、無線通信デバイス106との無線通信を実行するためにBBモジュール142がRFモジュール118を利用できるように、BBモジュール142とRFモジュール118との間をコラボレーションリンク134を介して接続し得る。例えば、BBモジュール142は、コラボレーションリンク134を介してRFモジュール118を制御し得る。
【００５４】
いくつかの実施例において、BBモジュール110は、無線通信ユニット112に、無線通信デバイス104のRFモジュール144によって送信されるべきデジタルBB信号を提供し得る。そして、無線通信ユニット112は、コラボレーションリンク134を介して、デジタルBB信号を無線通信ユニット140に送信し得る。無線通信ユニット140は、BBモジュール110からのBB信号に基づいてリンク172を介して伝送するためにRFモジュール144を制御し得る。
【００５５】
いくつかの実施例において、BBモジュール142は、無線通信ユニット140に、無線通信デバイス102のRFモジュール118によって送信されるべきデジタルBB信号を提供し得る。そして、無線通信ユニット140は、コラボレーションリンク134を介して、デジタルBB信号を無線通信ユニット112に送信し得る。無線通信ユニット112は、BBモジュール142からのBB信号に基づいてリンク170を介して伝送するためにRFモジュール118を制御し得る。
【００５６】
いくつかの実施例において、RFモジュール144は、無線通信デバイス106から、無線通信デバイス102のためを意図してBBモジュール164によって生成されたデジタルBB信号を、受信し得る。RFモジュール144は、BB信号を無線通信ユニット140に提供し得る。そして無線通信ユニット140は、コラボレーションリンク134を介して、無線通信ユニット112にBB信号を送信する。無線通信ユニット112は、BB信号をBBモジュール110に提供し得る。
【００５７】
いくつかの実施例において、RFモジュール118は、無線通信デバイス106から、無線通信デバイス104のためを意図してBBモジュール164によって生成されたデジタルBB信号を、受信し得る。RFモジュール118は、BB信号を無線通信ユニット112に提供し得る。そして無線通信ユニット112、コラボレーションリンク134を介して、無線通信ユニット140にBB信号を送信する。無線通信ユニット140は、BB信号をBBモジュール142に提供し得る。
【００５８】
いくつかの実施例において、例えば、無線通信デバイス102および104等の２以上の無線通信デバイスによって利用される、RFモジュール118および/またはRFモジュール144等のRFモジュールのコラボレーションは、自動的に実行され得る。無線通信デバイス102および/または104のユーザによって構成されるいかなる適切な基準に基づいて、自動的に実行され得る。例えば、無線通信デバイス102は、無線通信デバイス104の検出、無線通信デバイス102のバッテリレベル、および/または、無線通信デバイス102、104、106の間の相対的位置および/または距離、および/または、いかなる他の適切な基準に基づいて、無線通信デバイス104のRFモジュール144に自動的に、接続、および/または、利用し得る。
【００５９】
いくつかの実施例において、第１の無線通信デバイス（「マスタ」）は、第２の無線通信デバイス（「スレーブ」）との少なくとも１つのRFモジュールのコラボレーションのためのコラボレーションセッションを開始し得る。例えば、マスタデバイスのBBモジュールは、スレーブデバイスのRFモジュールを使用するためにコラボレーションセッションを開始し得る。コラボレーションリンクの開始は、例えば、マスタとスレーブとの間のリンク134等のコラボレーションリンクを設定するステップ、サポートされているモード、較正データ、等のスレーブデバイスのRFモジュールに関連する情報を交換するステップ、および/または、無線コラボレーションリンクを介してマスタデバイスがスレーブデバイスのRFモジュールを制御できるようにするためのいかなる適切な動作ステップ、を含み得る。例えば、無線通信デバイス102および104は、所定の開始プロトコルに従ってコラボレーションセッションを開始し得る。所定の開始プロトコルは、例えば、マスタデバイスのBBモジュールとスレーブデバイスのRFモジュールによって、マスタデバイスの無線通信ユニットとスレーブデバイスの無線通信ユニットによって、および/または、システム100のいかなる他の適切な通信レイヤによって、実装され得る。開始プロトコルは、例えば、マスタデバイスによるスレーブデバイスのスキャニング及び発見の１以上；周波数、送信電力、使用されるアンテナの数、アンテナ利得、使用についての規制当局の承認／制限事項、等の、１以上のRFに関連する属性をサポートおよび/または選択するための、マスタデバイスおよび/またはスレーブデバイスの能力に関する情報の交換；所定のパーセンテージ%X以上でない、デューティサイクル、適切な時間期間Y分以内に終了、今から、所定値Zを超えない送信電力で、等の、スレーブデバイスのRFモジュールの利用に関する「利用規約」の交渉；マスタとスレーブデバイスとのペアリング；操作構成データの交換；時間の同期；および、コラボレーションセッションを開始するためのいかなる他の適切な操作、を含む。
【００６０】
いくつかの実施例において、例えばデバイス102のBBモジュール120等のマスタデバイスのBBモジュールは、例えばデバイス104のRFモジュール144等のスレーブデバイスのRFモジュールを、制御し得る。例えば、BBモジュール110から受信したデータ、および/または、BBモジュール110に転送されるべきデータ、をRFモジュール144が通信できるようにするために、BBモジュール110が内部RFモジュール118を制御し得る方法と似た方法等の、いかなる他の適切な方法で、BBモジュール110は、RFモジュール144を構成し得、RFモジュール144を較正し得、および/または、RFモジュール144を制御し得る。
【００６１】
いくつかの実施例において、コラボレーションセッション中に、マスタデバイスのBBモジュールはスレーブデバイスのRFモジュール（「接続された無線機」）と通信し得る。例えば、コラボレーションセッション中に、BBモジュール110は、例えばデータ信号を含む、および/または、制御信号を含む信号を、例えば無線通信ユニット112およびリンク134を介して、RFモジュール144に転送し得る。BBモジュール110は、データ信号および/またはフィードバック信号等の信号を、例えば無線通信ユニット112およびリンク134を介して、RFモジュール144から受信し得る。
【００６２】
いくつかの実施例において、コラボレーションセッションは、例えば、コラボレーションリンク134上で終了メッセージを送信する等の、適切なセッション終了表示を使って、スレーブおよびマスタデバイスのうちの１つによって終了させられ得る。一例において、スレーブデバイスは、別のRFモジュールを使用するようにマスタデバイスのBBモジュールが切り換えられるようにするために、コラボレーションセッションを終了する少なくとも所定の時間期間前に、例えばコラボレーションリンク134を介して、終了表示をマスタデバイスに提供し得る。
【００６３】
いくつかの実施例において、例えば以下で説明されるように、１以上の適切なコラボレーション方式に従って、デバイス102および104のBBモジュール間で、デバイス102および104の１以上のRFモジュールがコラボレーションにおいて使用され得る。
【００６４】
いくつかの実施例において、BBモジュールは、共通の無線通信デバイス内のBBモジュールと一緒に配置された１以上の内部RFモジュールと、他の無線通信デバイスの１以上の外部RFモジュールとを含む、複数のRFモジュールに接続され得る。例えば、BBモジュール110は、デバイス104のRFモジュール144とともに、デバイス102の内部RFモジュール118の両方と接続され得る。
【００６５】
一実施例において、BBモジュールは、集計（aggregative）コラボレーション方式に従って、接続されたRFモジュールを利用し得る。例えば、BBモジュールは、マルチキャリア通信方式、マルチ入力マルチ出力（MIMO）方式、最大比率組合せ（maximal-ratio-combining）（MRC）方式、等の適切なマルチ無線通信方式に従って無線通信を実行するために、接続されたRFモジュールの２以上を、組合せるように、および/または、同時に、制御し得る。一例において、BBモジュール110は、例えば、無線通信デバイス106との、および/または、１以上の他の無線通信デバイスとの無線通信のために、デバイス104のRFモジュール144とデバイス102の内部RFモジュール118との両方を同時に使用するように構成され得る。例えば、BBモジュール110は、組合せ通信リンク上でデバイス106との適切なマルチ無線通信を実行するために、RFモジュール118とRFモジュール144との両方を利用し得る。
【００６６】
図４は、いくつかの実施例に従った、集計無線コラボレーション方式を示す模式図である。図４に示されるように、マスタデバイス402は、別のデバイス４０６と通信するためにスレーブデバイス404を利用する。図４の集計無線コラボレーション方式によれば、デバイス402は、デバイス406との通信のために、デバイス402の内部RFモジュールとデバイス404のRFモジュールとの両方を組合せておよび/または同時に利用し得る。
【００６７】
他の実施例において、BBモジュールは、選択的コラボレーション方式に従って、接続されたRFモジュールを利用し得る。例えば、BBモジュールは、ある時点で、無線通信をするために、接続されたRFモジュールの１以上を、選択的に使用し得る。一実施例において、BBモジュールは、デバイス106から無線通信信号を受信するために、および/または、デバイス106および/または１以上の他の無線通信デバイスに無線通信信号を送信するために、デバイス102のRFモジュール118とデバイス104のRFモジュール144との間で選択し得る。例えば、BBモジュール110は、リンク170上でデバイス106と通信するためにRFモジュール118を使用することと、リンク172上でデバイス106と通信するためにRFモジュール144を使用することとの間で選択し得る。
【００６８】
図５は、いくつかの実施例に従った、選択的無線コラボレーション方式の概略図である。図５に示されるように、マスタデバイス503は、他のデバイス506と通信するために、スレーブデバイス504を利用し得る。図５の選択的無線コラボレーションに従えば、デバイス502は、例えば、デバイス502の内部RFモジュールを使う代わりに、および/または、もし、デバイス502が内部RFモジュールを含まないなら、デバイス506と通信するために、デバイス504のRFモジュールを利用することを選択し得る。
【００６９】
他の実施例において、BBモジュールは、選択的/集計的の組合せコラボレーション方式に従って、接続されたRFモジュールを利用し得る。例えば、BBモジュールは、集計方式に従って通信するために、接続されたRFモジュールのいくつかだけを選択的に使い得る。
【００７０】
いくつかの実施例において、上述のコラボレーション方式の１以上は、様々なユーザケースに従って、例えば、MIMOおよび/またはマルチキャリア集計通信方式、単一のプラットフォームの送信制限によって制限されない等のより高い集計送信電力、および/または、改善された、または最高の、通信チャネルに関係付けられたRFモジュールとの信号の組合わせ、および/または、選択による等の低消費電力、を利用してデータレート転送を改善および/または最適化させるために、実装され得る。
【００７１】
図２が参照される。図２は、いくつかの実施例に従って、無線通信のための無線コラボレーションの方法の概略を示す図である。いくつかの実施例において、図２の方法の動作の１つ以上が、いかなる適切な、システム100（図１）等の無線通信システム、および／または、デバイス102、104および／または106（図１）等の無線通信デバイスによって、実行され得る。
【００７２】
ブロック202に示されるように、上記方法は、例えば、第１の無線通信デバイスと第２の無線通信デバイスとの間の無線通信リンクを介して第２の無線通信デバイスにあるRFモジュールを制御することにより、少なくとも１つの第２の無線通信デバイスの無線通信のために、少なくとも１つの第１の無線通信デバイスの少なくとも１つのRFモジュールを共同して（collaboratively）利用することを含み得る。例えば、無線通信デバイス102（図１）は、例えば上記のように無線通信リンク134（図１）を介してRFモジュール144（図１）を制御することにより、無線通信のために、無線通信デバイス104（図１）のRFモジュール144（図１）を共同して利用し得る。
【００７３】
ブロック204に示されるように、上記制御は、BB信号を、第２の無線通信デバイスから第１の無線通信デバイスへ、無線通信リンクを介して送信することを含み得る。例えば、無線通信デバイス102（図１）は、上記のように、無線通信リンク134（図１）を介して、BB信号を無線通信デバイス104（図１）に送信し得る。他の実施例において、上記制御は、中間周波数信号等のいかなる他の適切なフォーマットの制御信号を、無線通信リンクを介して第２の無線通信デバイスから第１の無線通信デバイスへ送信することを含み得る。
【００７４】
ブロック206に示されるように、上記方法は、第２の無線通信デバイスの無線通信のために、第１の無線通信デバイスのRFモジュールと第２の無線通信デバイスのRFモジュールの両方を同時に使用することを含み得る。例えば、上記のように、BBモジュール110（図１）は、無線通信デバイス106（図１）との無線通信のために、RFモジュール144（図１）と内部RFモジュール118（図１）の両方を同時に使用し得る。
【００７５】
ブロック208に示されるように、上記方法は、第２の無線通信デバイスの無線通信のために、第１の無線通信デバイスのRFモジュールと第２の無線通信デバイスのRFモジュールとの間で選択をすることを含み得る。例えば、上記のように、BBモジュール110（図１）は、無線通信デバイス106（図１）との無線通信のために、RFモジュール118（図１）とRFモジュール144（図１）との間で選択をし得る。
【００７６】
図３が参照される。図３は、いくつかの実施例に従った、製造品300の概略を示す図である。製造品300は、ロジック304を格納するための機械読み取り可能な記憶媒体302を含み得る。上記ロジック304は、例えば、BB  110および／または142（図１）、無線通信ユニット112および／または140（図１）、無線通信デバイス102および／または104（図１）の機能の少なくとも一部分を実行するために、および／または、図２の方法の１以上の動作を実行するために、使用され得る。
【００７７】
いくつかの実施例において、製造品300および／または機械読み取り可能な記憶媒体302は、揮発性メモリ、不揮発性メモリ、リムーバブルまたは非リムーバブルメモリ、消去可能または非消去可能メモリ、書き込み可能または再書き込み可能メモリ、等の、データ格納可能なコンピュータ読込み可能記憶媒体の１以上の種類を含み得る。例えば、機械読み取り可能な記憶媒体302は、RAM、DRAM、ダブルデータレートDRAM（DDR-DRAM）、SDRAM、スタティックRAM（SRAM）、ROM、プログラマブルROM（PROM）、消去可能プログラマブルROM（EPROM）、電気的消去可能プログラマブルROM（EEPROM）、コンパクトディスクROM（CD-ROM）、コンパクトディスクレコーダブル（CD-R）、コンパクトディスクリライタブル（CD-RW）、フラッシュメモリ（例、NORまたはNANDフラッシュメモリ）、コンテンツアドレッサブルメモリ（CAM）、ポリマメモリ、相変化メモリ、強誘電体メモリ、シリコン酸化物窒化物酸化物シリコン（SONOS）メモリ、ディスク、フロッピーディスク、ハードドライブ、光ディスク、磁気ディスク、カード、磁気カード、光カード、テープ、カセット、等を含み得る。コンピュータ読み取り可能な記憶媒体は、モデム、無線、またはネットワーク接続等の通信リンクを通して搬送波または他の伝搬媒体において具現化されるデータ信号によって、遠隔コンピュータから要求コンピュータに運ばれるコンピュータプログラムのダウンロードまたは転送に関与するいかなる適切な媒体を含み得る。
【００７８】
いくつかの実施例において、ロジック304は、命令、データ、および/または、コードを含み得る。その命令、データ、および/または、コードは、もし機械によって実行されるならば、その機械に、本明細書に記載されたような方法、処理、および/または、動作を実行させ得る。機械は、例えば、いかなる適切な処理プラットフォーム、計算プラットフォーム、計算デバイス、処理デバイス、計算システム、処理システム、コンピュータ、プロセッサ、等を含み得、ハードウェア、ソフトウェア、ファームウェア、等のいかなる適切な組み合わせを利用して実装され得る。
【００７９】
いくつかの実施例において、ロジック304は、ソフトウェア、ソフトウェアモジュール、アプリケーション、プログラム、サブルーチン、命令、命令の集合、計算コード、ワード、値、シンボル、等、を含み得、または、として実装され得る。命令は、ソースコード、コンパイルされたコード、インタープリットされたコード、実行可能コード、静的コード、動的コード、等のいかなる適切なコードの種類を含み得る。命令は、プロセッサに所定の機能を実行させるように命令するために、所定のコンピュータ言語、方法またはシンタックスに従って実装され得る。命令は、C、C++、Java（登録商標）、BASIC、Matlab、Pascal、Visual  BASIC、アセンブリ言語、機械コード、等のいかなる適切なハイレベル、ローレベル、オブジェクト指向、ビジュアル、コンパイルされた、および/または、インタープリットされたプログラミング言語を利用して実装され得る。１以上の実施例を参照して本明細書において説明された機能、動作、構成要素、および/または、特徴は、１以上の他の実施例を参照して本明細書において説明された１以上の他の機能、動作、構成要素、および/または、特徴と組み合わせられ得、または、組み合わせて利用され得る。
【００８０】
本明細書において本発明の特定の特徴が示され説明されてきたが、当業者には、多くの修正、置換、変更、および等価が起こりうる。したがって、添付されたクレームは、すべてのそのような修正および変更を、本発明の真の精神に該当するものとして包含することを意図していることが理解されるべきである。
【図１】
2014529247.tif 000003
【図２】
2014529247.tif 000004
【図３】
2014529247.tif 000005
【図４】
2014529247.tif 000006
【図５】
2014529247.tif 000007
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
無線通信デバイスであって、
無線通信のために、少なくとも１つの他の無線通信デバイスの少なくとも１つの無線周波数（RF）モジュールを使用する無線通信ユニットを備え、前記無線通信ユニットは、前記無線通信ユニットと前記他の無線通信デバイスとの間の無線通信リンクを介して、前記RFモジュールを制御する、無線通信デバイス。
【請求項２】
請求項１に記載の無線通信デバイスであって、
内部ベースバンド（BB）モジュールを備え、
前記無線通信ユニットは、前記内部BBモジュールと前記RFモジュールとの間を、前記無線通信リンクを介して接続する、無線通信デバイス。
【請求項３】
請求項２に記載の無線通信デバイスであって、内部RFモジュールを備える、無線通信デバイス。
【請求項４】
請求項３に記載の無線通信デバイスであって、前記内部BBモジュールは、前記無線通信のために、前記他の無線通信デバイスの前記RFモジュールと前記内部RFモジュールの両方を同時に使用するように構成された、無線通信デバイス。
【請求項５】
請求項３または４に記載の無線通信デバイスであって、前記内部BBモジュールは、前記無線通信のために、前記他の無線通信デバイスの前記RFモジュールと前記内部RFモジュールとの間から少なくとも１つを選択するように構成された、無線通信デバイス。
【請求項６】
請求項３乃至５のいずれか１項に記載の無線通信デバイスであって、前記無線通信デバイスは、少なくとも１つの外部デバイスと、前記無線通信ユニットと前記外部デバイスとの間の無線通信リンクを介した前記外部デバイスによる前記内部RFモジュールの制御を許すことにより、前記内部RFモジュールを共有する、無線通信デバイス。
【請求項７】
請求項２乃至６のいずれか１項に記載の無線通信デバイスであって、前記内部BBモジュールは、前記他の無線通信デバイスの前記RFモジュールによって送信されるべきデジタルBB信号を、前記無線通信ユニットに提供し、前記無線通信ユニットは、前記無線通信ユニットと前記外部デバイスとの間の前記無線通信リンクを介して、前記デジタルBB信号を前記他の無線通信デバイスに送信する、無線通信デバイス。
【請求項８】
無線通信システムであって、
少なくとも１つの無線通信デバイスを備え、該無線通信デバイスは、
内部無線周波数（RF）モジュールと、
無線通信ユニットであり、少なくとも１つの第１の他の無線通信デバイスと少なくとも１つの第２の他の無線通信デバイスとの間の通信のために、前記無線通信ユニットと前記第１の他の無線通信デバイスとの間の無線通信リンクを介して前記第１の他の無線通信デバイスを前記内部RFモジュールに接続することにより、前記内部RFモジュールを共有する、無線通信ユニットと、
前記内部RFモジュールと前記無線通信ユニットの少なくとも１つと関連付けられた１以上のアンテナと、を含む、無線通信システム。
【請求項９】
請求項８に記載の無線通信システムであって、前記無線通信ユニットは、前記無線通信リンク上でデジタルベースバンド（BB）信号を受信し、前記デジタルBB信号に基づいて送信するように前記内部RFモジュールを制御する、無線通信システム。
【請求項１０】
請求項８または９に記載の無線通信システムであって、前記無線通信ユニットを前記内部RFモジュールに接続するデジタルRFインターフェイスを備える、無線通信システム。
【請求項１１】
請求項８乃至１０のいずれか１項に記載の無線通信システムであって、前記内部RFモジュールによって送信されるべきデジタル信号を、前記内部RFモジュールに提供する内部ベースバンド（BB）モジュールを備える、無線通信システム。
【請求項１２】
請求項１１に記載の無線通信システムであって、前記無線通信ユニットは、無線通信のために、少なくとも１つの外部デバイスの少なくとも１つの外部RFモジュールを使用し、前記無線通信ユニットは、前記無線通信ユニットと前記外部デバイスとの間の無線通信リンクを介して前記外部RFモジュールを制御し、前記無線通信ユニットは、前記無線通信ユニットと前記外部デバイスとの間の前記無線通信リンクを介して前記内部BBモジュールと前記外部RFモジュールとを接続する、無線通信システム。
【請求項１３】
無線通信の方法であって、該方法は、
少なくとも１つの第２の無線通信デバイスの無線通信のために、少なくとも１つの第１の無線通信デバイスの少なくとも１つの無線周波数（RF）モジュールを、前記第１および第２の無線通信デバイスの間の無線通信リンクを介して、前記第２の無線通信デバイスにおいて前記RFモジュールを制御することにより、共同して使用するステップを備える、方法。
【請求項１４】
請求項１３に記載の方法であって、前記制御することは、ベースバンド（BB）信号を、前記第２の無線通信デバイスから前記第１の無線通信デバイスへ前記無線通信リンクを介して送信することを含む、方法。
【請求項１５】
請求項１３または１４に記載の方法であって、前記第２の無線通信デバイスの前記無線通信のために、前記第１の無線通信デバイスの前記RFモジュールと、前記第２の無線通信デバイスのRFモジュールとの両方を同時に使用するステップを備える、方法。
【請求項１６】
請求項１３乃至１５のいずれか１項に記載の方法であって、前記第２の無線通信デバイスの前記無線通信のために、前記第１の無線通信デバイスの前記RFモジュールと、前記第２の無線通信デバイスのRFモジュールとのどちらかを選択するステップを備える、方法。
【国際調査報告】
2014529247.tif 000008
2014529247.tif 000009